(57)【要約】【課題】  最小限の単純な機能で構成され、小型、薄型、軽量で携帯に便利であると共に、利用者が閲覧したい画像を効率的に読み込み処理及び表示処理を行うことができる画像処理装置を提供することである。【解決手段】  上記の課題を解決するため、本発明は、所定の画像を読み込む読み込み手段（２０）と、前記読み込み手段により読み込まれた画像を表示する表示手段（２０）と、前記読み込み手段により読み込まれた複数の画像を格納するメモリ（１３）と、前記メモリに格納された画像を前記表示手段に表示させる画像処理制御手段（１２）とを有する構成とされる。【選択図】  図２    
2005130232.tif 000002
【特許請求の範囲】
【請求項１】
所定の画像を読み込む読み込み手段と、
前記読み込み手段により読み込まれた画像を表示する表示手段と、
前記読み込み手段により読み込まれた複数の画像を格納するメモリと、
前記メモリに格納された画像を前記表示手段に表示させる画像処理制御手段とを有することを特徴とする画像処理装置。
【請求項２】
前記メモリは、前記画像が表示された頻度を画像毎に格納し、
前記画像処理制御手段は、前記メモリに格納された頻度に基づいて、上記表示手段に縮小画像を一覧表示させることを特徴とする請求項１記載の画像処理装置。
【請求項３】
前記読み込み手段と前記表示手段は、同一面上に設けられ、前記同一面上で前記画像の読み取り、表示が可能なデバイスで構成されていることを特徴とする請求項１又は２記載の画像処理装置。
【請求項４】
前記読み込み手段と前記表示手段は、それぞれ異なるデバイスで構成されていることを特徴とする請求項１乃至３いずれか一項記載の画像処理装置。
【請求項５】
画像を読み込んでメモリに格納し、前記画像を表示手段に表示させる画像処理方法であって、
前記メモリに格納された各画像の表示された頻度を参照する参照手順と、
前記参照手順により参照された頻度に基づいて、上記表示手段に縮小画像を一覧表示させる一覧表示処理手順と、
前記縮小画面から選択された画像を上記表示手段に表示する画像表示手順と、
前記画像が選択されたとき、前記メモリに格納された頻度を更新する更新手順とを有することを特徴とする画像処理方法。
【発明の詳細な説明】
【技術分野】
【０００１】
本発明は画像処理装置及び画像処理方法に係り、特に、単純な機能のみで静止画像の読み込み処理、及び表示処理を行うことができる画像処理装置及び画像処理方法に関する。
【背景技術】
【０００２】
近年、静止画像を取り込むことが可能な携帯電話、デジタルカメラなどを持ち歩く利用者が増えつつある。これらの情報機器を用いて撮影された静止画像は、情報機器のメモリに記録され、いつでも利用者が見たいときに情報機器に設置されているディスプレイなどの表示デバイス（一般には小型液晶パネル）に表示させることができる。
【０００３】
このような情報機器の表示デバイスに表示する画像検索の操作性を良くすることを目的として、携帯型端末装置の正面の表示画面に対して外周を囲む形で縮小画像をレイアウト表示し、レイアウト表示された縮小画像を指示するための指示手段を携帯型端末の背面側に配置し、指示手段を回転操作することでレイアウト表示された縮小画像を指示する技術が存在する（例えば、特許文献１）。
【０００４】
同様に、画像検索の操作性を良くすることを目的として、画像表示ディスプレイを正面とし、対面する背面側に指で触れてカーソルを移動させる正円形状のポインティングデバイスをレイアウトし、リブをその円周上とその同心円に立てることで、ユーザは操作デバイスそのものを見ずに手探りの回転操作のみによって画像表示ディスプレイ上のカーソル選択を行う技術が存在する（例えば、特許文献２）。
【０００５】
また、従来のデバイスにおいて、一つの面上に画像を読み込む機能と、画像を表示する機能とが実現されたインプットディスプレイが存在する。上記インプットディスプレイとは、東芝松下ディスプレイテクノロジー（株）にて開発され、平成１５年４月３日に発表された商品である（非特許文献１）。
【特許文献１】特開平１１−２３１９８９号公報
【特許文献２】特開平１１−２３２０２６号公報
【非特許文献１】「ディスプレイ画面からイメージキャプチャーできる液晶の開発について−世界初“インプット・ディスプレイ”で夢が広がる−」、[online]、［平成１５年１０月２１日検索］、インターネット＜ＵＲＬ：http://www.tmdisplay.com/tm_dsp/press/2003/03-04-03_j.htm＞
【発明の開示】
【発明が解決しようとする課題】
【０００６】
しかしながら、従来のような情報機器は、静止画像を読み込み、表示する機能だけでなく、その他の多くの機能を有することにより操作ボタンや操作方法が複雑でわかり難く、即座に画像を取り込んだり、画像を表示させることが難しい。また、外出先で静止画像を閲覧したい場合に情報機器を携帯しなければならないが、情報機器は大型で重量が重く、持ち運びに不便であるという問題点があった。
【０００７】
また、従来技術では静止画像の縮小画面の一覧を表示しているが、一覧表示される縮小画像の順番が決まっているため、閲覧したい画像を検索するまでに時間がかかってしまうという問題点があった。
【０００８】
そこで、本発明の課題は、最小限の単純な機能で構成することが可能であり、小型、薄型、軽量で携帯に便利であると共に、利用者が閲覧したい画像を効率的に読み込み、表示することができる画像処理装置及び画像処理方法を提供することである。
【課題を解決するための手段】
【０００９】
上記の課題を解決するため、請求項１に記載の発明は、所定の画像を読み込む読み込み手段（２０）と、前記読み込み手段により読み込まれた画像を表示する表示手段（２０）と、前記読み込み手段により読み込まれた複数の画像を格納するメモリ（１３）と、前記メモリに格納された画像を前記表示手段に表示させる画像処理制御手段（１２）とを有する構成とされる。
【００１０】
本発明によれば、画像処理制御手段であるＣＰＵは、読み込み手段によって読み込まれ、メモリに格納された画像を表示手段に表示させる制御を行うことにより、最小限の単純な機能で構成することが可能であり、小型、薄型、軽量で携帯に便利であると共に、利用者が閲覧したい画像を効率的に読み込み、表示することができる。
【００１１】
請求項２に記載の発明は、前記メモリ（１３）が前記画像が表示された頻度を画像毎に格納し、前記画像処理制御手段（１２）は、前記メモリに格納された頻度に基づいて、上記表示手段に縮小画像を一覧表示させる構成とされる。
【００１２】
本発明によれば、画像処理制御手段であるＣＰＵは、メモリに格納された画像の表示頻度に基づいて、表示手段に縮小画像を一覧表示させる制御を行うことにより、最小限の単純な機能で構成することが可能であり、小型、薄型、軽量で携帯に便利であると共に、利用者が閲覧したい画像を効率的に読み込み、表示することができる。
【００１３】
請求項３に記載の発明は、前記読み込み手段と前記表示手段は、同一面上に設けられ、前記同一面上で前記画像の読み取り、表示が可能なデバイス（２０）で構成されるものとする。
【００１４】
本発明によれば、同一面上に読み込み手段と表示手段とが設けられたデバイスで構成されることにより、最小限の単純な機能で構成することが可能であり、小型、薄型、軽量で携帯に便利であると共に、利用者が閲覧したい画像を効率的に読み込み、表示することができる。
【００１５】
請求項４に記載の発明は、前記読み込み手段（３０、３５、３６、４０、４５）と前記表示手段（２５）は、それぞれ異なるデバイスで構成されるものとする。
【００１６】
本発明によれば、読み込み手段と表示手段とを異なるデバイスで構成することにより、最小限の単純な機能で構成することが可能であり、小型、薄型、軽量で携帯に便利であると共に、利用者が閲覧したい画像を効率的に読み込み、表示することができる。
【００１７】
請求項５に記載の発明は、画像を読み込んでメモリに格納し、前記画像を表示手段に表示させる画像処理方法であって、前記メモリに格納された各画像の表示された頻度を参照する参照手順と、前記参照手順により参照された頻度に基づいて、上記表示手段に縮小画像を一覧表示させる一覧表示処理手順と、前記縮小画面から選択された画像を上記表示手段に表示する画像表示手順と、前記画像が選択されたとき、前記メモリに格納された頻度を更新する更新手順とを有する構成とされる。
【００１８】
本発明によれば、ＣＰＵ（１２）は、メモリに格納された各画像毎の表示された頻度を参照し、その頻度に基づいて表示手段に縮小画像を一覧表示させ、縮小画像から選択された画像をパネルに表示し、所定の画像が選択されたとき、格納された頻度を更新することにより、最小限の単純な機能で構成することが可能であり、小型、薄型、軽量で携帯に便利であると共に、利用者が閲覧したい画像を効率的に読み込み、表示することができる。
【００１９】
なお、上記括弧内の参照符号は、理解を容易にするために付したものであり、一例にすぎず、図示の態様に限定されるものではない。
【発明の効果】
【００２０】
このような画像処理装置及び画像処理方法では、最小限の単純な機能で構成することが可能であり、小型、薄型、軽量で携帯に便利であると共に、利用者が閲覧したい画像を効率的に読み込み、表示することができる。
【発明を実施するための最良の形態】
【００２１】
以下、本発明の実施の形態を図面に基づいて説明する。図１は、本発明の第１実施例に係る画像処理装置の斜視図である。図１において、本発明の画像処理装置１は、名刺の画像や雑誌の画像の読み込み、表示が可能であり、主に、画像の読み込みと表示を行うパネル２０と、表示する画像の選択等を行うジョグダイアル１４と、他の情報機器と画像データの送受信を行うインターフェース（ＩＦ）１５などで構成されている。ここで、画像処理装置１は、小型、薄型、軽量のカードサイズ、例えば、名刺サイズに形成される。尚、ここで画像とは、ＪＰＥＧなどの所定のファイル形式での静止画像を対象とする。
【００２２】
パネル２０は、例えば、インプットディスプレイと称される一つの面上に、画像を読み込む機能と、画像を表示する機能とが実現されたデバイスから構成される。インプットディスプレイとは、同一面上に光センサー素子と液晶画素とが交互に配置され、画像読込機能と画像表示機能とを実現している。例えば、このパネル２０上に名刺や、雑誌の一部などを設置して、読み込みボタンを押圧する（ジョグダイアル１４を２度押しなど）ことにより、情報を入力することができる。また、パネル２０には、記録された画像の一覧を表示させることができる。
【００２３】
ジョグダイアル１４は、電源をオン・オフする機能を有し、パネル２０に表示された縮小画像の一覧から特定、選択を行う。例えば、画像処理装置１の電源がついていない状態で、ジョグダイアル１４を押圧すると、電源がオンとなる。また、パネル２０に縮小画像の一覧が表示されている状態で、ジョグダイアル１４を左右に回転させると、選択する画像にカーソルを移動させる（カーソルは選択されていない画像との識別が可能なもの）。表示する画像の選択が決定した場合、ジョグダイアル１４を押圧し、パネル２０に拡大した画面を表示させる。このようなジョグダイアル１４の操作設定は、任意に変更可能である。ＩＦ１５は、携帯電話やデジタルビデオなどの他の情報機器で撮影された風景や人物、地図などの画像データを送受信する。
【００２４】
尚、ＩＦ１５のデータ転送方法は、赤外線、ブルートゥースなどの無線を用いて行われる。また、ＩＦ１５は、ＵＳＢなど他の情報機器と接続可能なコネクタであってもよい。
【００２５】
このように、本発明の画像処理装置１は、画像の読み込み、表示を行うことができるパネル２０を有することにより、最小限の単純な機能で構成することが可能であり、小型、薄型、軽量で携帯に便利であると共に、利用者が閲覧したい画像を効率的に読み込み、表示することができる。
【００２６】
次に、画像処理装置１のシステム構成について説明する。図２は、本発明の画像処理装置のシステム構成図である。図２に示すように、画像処理装置１は、画像を読み込むスキャナ１０と、画像を表示するＬＣＤ（Ｌｉｑｕｉｄ  Ｃｒｙｓｔａｌ  Ｄｉｓｐｌａｙ）１１とを有するパネル２０と、画像処理に関する各構成の動作を制御するＣＰＵ１２と、画像データ及び表示頻度メモリ１３と、電源のオン・オフを切り替える電源スイッチ１４０を含むジョグダイアル１４と、他の情報機器と画像データの送受信を行うＩＦ１５と、各構成に電源を供給する電源回路１６などで構成されている。ここで、図１に示す画像処理装置１に示すように、パネル２０は光センサー素子、液晶素子が交互に配置されている、即ち、スキャナ１０の機能とＬＥＤ１１の機能を両方持っているものとする。
【００２７】
次に、画像を読み込んで、利用者が所望する画像を表示させる一連の過程を説明する。先ず、ジョグダイアル１４で電源スイッチ１４０がオンされると、電源回路１６と接続されたＣＰＵ１２、メモリ１３、ジョグダイアル１４、ＩＦ１５、スキャナ１０、ＬＣＤ１１へ電源回路１６から電源が供給される。
【００２８】
ここで、ジョグダイヤル１４により画像読み込み処理が実行されると、パネル２０のスキャナ１０は、ＣＰＵ１２からの制御信号に応じて画像読み込みの処理を行う。このとき、スキャナ１０は所定の画像サイズで読み取り面上の原稿を読み取る。スキャナ１０によって読み込まれた画像データは、ＣＰＵ１２に供給される。ＣＰＵ１２では、スキャナ１０から読み取った画像データをＪＰＥＧなどの所定のファイル形式に変換した画像データをメモリ１３に格納する。一方、ジョグダイヤル１４により縮小画面の一覧表示処理が実行されると、ＣＰＵ１２は、メモリ１３に格納された画像データの過去に表示された頻度に基づいて、降順または昇順に（例えば、頻度の高い画像データから順番に）縮小画面を表示させる制御信号を生成し、ＬＣＤ１１に供給する。パネル２０のＬＣＤ１１は、ＣＰＵ１２からの制御信号に応じてメモリ１３に格納された画像データの縮小画面の一覧を表示する。この時、ジョグダイヤル１４により、一覧表示された縮小画面のうち少なくとも一つの画面が選択されると、ＣＰＵ１２は選択された画面データをメモリ１３から抽出する。そして、ＣＰＵ１２は抽出した画像を表示するための制御信号をＬＣＤ１１へ供給し、制御信号に応じてＬＣＤ１１に画像が表示される。
【００２９】
このように、ジョグダイヤル１４の操作に応じたＣＰＵ１２の制御によりスキャナ１０で画像を読み込み、ＬＣＤ１１で画像を表示することにより、最小限の単純な機能で構成することが可能であり、小型、薄型、軽量で携帯に便利であると共に、利用者が望む画像を効率的に読み込み、表示することができる。
【００３０】
次に、メモリ１３に格納される画像データに関するファイルテーブルについて説明する。図３は、メモリに格納されるファイルテーブルを示す図である。図３において、ファイルテーブル１３０は、スキャナ１０により読み込まれた画像データと、その画像データがＬＣＤ１１により表示された頻度とが格納されたテーブルである。このテーブル１３０は、画像データが格納されたファイル番号を示す項目と、画像データを示す項目と、表示頻度を示す項目とで構成されている。ＣＰＵ１２は、テーブル１３０に格納された各画像データ（ファイル番号）に対する表示頻度を参照することにより、表示頻度の高い画像データの順に縮小画面の一覧を表示させることができ、所望の画像を検索する時間を短縮することができる。
【００３１】
次に、画像処理装置１で実行される画像処理について説明する。図４は、画像処理のフローチャートを示す図である。尚、図４において、メモリ１３に予めスキャナ１０によって読み込まれた画像データが格納されているものとする。図４において、ステップＳ１０の処理で、ジョグダイアル１４により電源がオンされると、ＣＰＵ１２は各構成に電源を供給する。ステップＳ１１の処理で、ＣＰＵ１２はメモリ１３に格納された各画像データの表示頻度を参照する。ステップＳ１２の処理で、ＣＰＵ１２は表示頻度の大きい順に縮小画像を一覧表示させる制御信号をＬＣＤ１１へ供給する。ステップＳ１３の処理で、ジョグダイアル１４により一覧表示から画像が選択される。ステップＳ１４の処理で、選択された画像の表示頻度を更新する。ステップＳ１５の処理で、ＬＣＤ１１で、選択された画像を表示する。ステップＳ１６の処理で、一覧表示の画面に戻る、即ち、ジョグダイアル１４が押圧されたか否かを判断する。ステップＳ１６の処理でジョグダイアル１４が押圧されたとき、ステップＳ１１からの処理を繰り返す。ステップＳ１６の処理でジョグダイアル１４が押圧されなかったとき、ステップＳ１７の処理で、画像処理装置１の電源がオフされた、即ち、ジョグダイアル１４が押圧されたか否かを判断する。ステップＳ１７の処理でジョグダイアル１４が押圧されたとき、ステップＳ１８の処理でＣＰＵ１２は電源オフし、画像処理を終了する。ステップＳ１７の処理でジョグダイアル１４が押圧されなかったとき、ステップＳ１６からの処理を繰り返す。
【００３２】
次に、画像データの縮小画像の一覧表示画面について説明する。図５は、画像データの一覧表示画面を示す図である。図５において、パネル２０に表示される一覧表示画面２００は、読み込んだ名刺のデータを一覧表示した例を示している。この一覧表示画面２００では、縦３枚、横４枚の縮小画像が表示され、上段左端から横、次の段の左端から横という順番に過去に表示した頻度の高い名刺の画像が表示されている。例えば、ジョグダイアル１４を回転させて縮小画面２０１を選択し、ジョグダイアル１０を押圧することにより、縮小画面２０１が画像を読み込んだ時の大きさでパネル２０に表示される。このように、パネル２０へ表示頻度の高い順番に縮小画面を表示することにより、利用者が閲覧したい画像を効率的に探し出し、表示することができる。
【００３３】
次に、本発明の第２実施例について説明する。図６は、本発明の第２実施例に係る画像処理装置の斜視図である。図６に示す画像処理装置１００は、図１に示す画像処理装置１にメモリスロット２４を設けた点で第１実施例と異なる。メモリスロット２４を設けたことにより、大容量のメモリカードを使用することができる。従って、大量の画像データを複数のメモリカードを用いて保存することが可能となる。また画像処理装置１００及びメモリカードは携帯にも便利であり、外出先でも容易に画像を検索、表示することができる。
【００３４】
次に、本発明の第３実施例について説明する。尚、第３実施例では、画像を表示する機能のみのパネル２５を用い、その他に画像を読み取る装置を設けた場合を示している。図７は、本発明の第３実施例に係る画像処理装置の斜視図である。図７（Ａ）に示す画像処理装置１１０には、パネル面と反対側の面に画像読取面３１が設けられ、画像処理装置１１０の短い方の辺と平行にラインセンサ３０が設けられている。例えば、名刺画像を読み込む場合、読み込み面を画像読取面３１に当てて、読み込みボタン（ジョグダイアル１４で所定の操作を行う）を押すと、ラインセンサ３０が図示しない駆動機構によって画像読取面３１の面に沿って矢印方向へ移動し、画像を読み込むことができる。図７（Ｂ）に示す画像処理装置１２０には、一方の端にロータリーエンコーダー３５と、画像処理装置１２０の内部にロータリーエンコーダ３５と平行にラインセンサ３６とが設置されている。ロータリーエンコーダ３５は片側の面から名刺３７を挿入することにより、名刺画像を読み込むことができる。図７（Ｃ）に示す画像処理装置１３０には、パネル２５が配置された片面の端にラインセンサ３６が設置されている。例えば、読み込みボタンを押して、名刺の読み込み面へラインセンサ３６を接触させながら移動させることにより、名刺画像を読み込むことができる。図７（Ｄ）に示す画像処理装置１４０には、一端にラインセンサ４５が設置されている。画像処理装置１４０を縦に起した状態、即ち、ラインセンサ４５と名刺３７の読み取り面とが垂直になるように接触した状態で、矢印の方向へ移動させることにより、名刺画像を読み込むことができる。
【００３５】
このように、本発明の画像処理装置１１０、１２０、１３０、１４０は、画像の読み込みができるラインセンサ３０、３６、４０、４５、及び表示を行うことができるパネル２０とを有することにより、最小限の単純な機能で構成することが可能であり、小型、薄型、軽量で携帯に便利であると共に、利用者が閲覧したい画像を効率的に読み込み、表示することができる。
【図面の簡単な説明】
【００３６】
【図１】本発明の第１実施例に係る画像処理装置の斜視図である。
【図２】本発明の画像処理装置のシステム構成図である。
【図３】メモリに格納されるファイルテーブルを示す図である。
【図４】画像処理のフローチャートを示す図である。
【図５】画像データの一覧表示画面を示す図である。
【図６】本発明の第２実施例に係る画像処理装置の斜視図である。
【図７】本発明の第３実施例に係る画像処理装置の斜視図である。
【符号の説明】
【００３７】
１、１００、１１０、１２０、１３０、１４０        画像処理装置
１０          スキャナ
１１          ＬＣＤ
１２          ＣＰＵ
１３          メモリ
１４          ジョグダイアル
１５          ＩＦ
１６          電源回路
２０、２５    パネル
２４          メモリスロット
３０、３６、４０、４５        ラインセンサ
３１          画像読取面
３５          ロータリーエンコーダ
３７          名刺
１４０        電源スイッチ
【図１】
2005130232.tif 000003
【図２】
2005130232.tif 000004
【図３】
2005130232.tif 000005
【図４】
2005130232.tif 000006
【図５】
2005130232.tif 000007
【図６】
2005130232.tif 000008
【図７】
2005130232.tif 000009